(57)【要約】【課題】携帯電話機等に搭載のカメラの破損、焼損等を防止し、又、撮影画像が白く霞む現象等を防止して、高画質の画像を撮影できるようにする。【解決手段】撮影窓１４を有する本体１０、本体１０の内部に配置され被写体を撮影するためのレンズ２１及びＣＣＤ２２を含むカメラ２０を備えた構成において、ＣＣＤ２２及びレンズ２１よりも被写体側で撮影窓１４の背後に遮光羽根２３を配置し、撮影モード、非撮影モードに応じて、電磁アクチュエータ２４により遮光羽根２３を開閉駆動する。これにより、開閉操作の煩わしさが解消され、遮光羽根２３を非撮影時にバリヤとして又撮影時に機械的なシャッタとして用いることができ、ＣＣＤの焼損等による破損、カラーフィルタの退色等を防止できると共に、高画質の画像を得ることができる。【選択図】  図１
2004184817.tif 000002
【特許請求の範囲】
【請求項１】
撮影窓を有する本体と、前記本体の内部に配置され被写体を撮影するためのレンズ及び撮像素子を含むカメラと、を備えた携帯情報端末装置であって、
前記前記撮像素子よりも被写体側に配置されて前記撮影窓に通じる光路を開閉する遮光羽根と、前記遮光羽根を駆動する電磁アクチュエータと、前記電磁アクチュエータを駆動制御する制御手段と、を含む、
ことを特徴とする携帯情報端末装置。
【請求項２】
前記遮光羽根は、前記レンズよりも被写体側に配置されている、
ことを特徴とする請求項１記載の携帯情報端末装置。
【請求項３】
前記遮光羽根は、非撮影モードにおいて、前記撮影窓に通じる光路を常時閉じる状態に保持されている、
ことを特徴とする請求項１又は２に記載の携帯情報端末装置。
【請求項４】
前記制御手段は、非撮影モードから撮影モードにされたとき、予め前記遮光羽根に閉じ動作を行わせた後に開き動作を行わせるべく、前記電磁アクチュエータに対して通電を行う、
ことを特徴とする請求項３記載の携帯情報端末装置。
【請求項５】
前記制御手段は、撮影モードにおいてレリーズ動作がなされたとき、所定時間経過後に、前記遮光羽根に閉じ動作を行わせるべく、前記電磁アクチュエータに対して通電を行う、
ことを特徴とする請求項３又は４に記載の携帯情報端末装置。
【請求項６】
前記制御手段は、撮影モードにおいてレリーズ動作がなされたとき、前記撮像素子により被写体の撮影を開始する直前に、開いた状態から前記遮光羽根に一旦閉じ動作を行わせた後再び開き動作を行わせるべく、前記電磁アクチュエータに対して通電を行う、
ことを特徴とする請求項５記載の携帯情報端末装置。
【請求項７】
前記制御手段は、撮影モードにおいて、所定時間に亘ってレリーズ動作が行われないとき、自動的に非撮影モードに切り替える、
ことを特徴とする請求項３ないし６いずれかに記載の携帯情報端末装置。
【発明の詳細な説明】
【０００１】
【発明の属する技術分野】
本発明は、携帯電話機あるいは携帯型パーソナルコンピュータ（ＰＤＡ）等の携帯情報端末装置に関し、特に、操作者あるいは周辺の風景等を撮影可能なカメラを備えた携帯情報端末装置に関する。
【０００２】
【従来の技術】
近年において、画像信号を送受信できる携帯電話機あるいは携帯型パーソナルコンピュータ等の携帯情報端末装置が開発されている。例えば、カメラ（いわゆるモバイルカメラ）を搭載した携帯電話機としては、その本体に撮影窓を設け、本体の内部にデジタル画像を撮影するためのレンズ及びＣＣＤ等の撮像素子からなるカメラを配置し、さらに、レンズあるいは撮像素子を保護するために、手動にて撮影窓を開閉し得るように本体に対して遮光用のカバーを摺動自在に設けたものが知られている（例えば、特許文献１参照）。
【０００３】
【特許文献１】
特開平２０００−３３２８７１号公報
【０００４】
【発明が解決しようとする課題】
ところで、上記従来の携帯電話機においては、カメラにより撮影する際には、操作者がカバーをスライドさせて撮影窓を開放しなければならないため操作が煩わしく、又、非撮影時でも操作の煩わしさから開放したまま保持される場合があり、撮影窓から強力な光線が入り込んで撮像素子の破損、焼損、あるいは撮像素子の前面にあるカラーフィルタの退色等を招く虞がある。
【０００５】
また、上記従来の携帯電話機においては、カメラで撮影する際の露光時間は、撮像素子に対する電力供給のオン／オフ操作、すなわち、電子シャッタのみにより規定されている。したがって、被写体の光量（輝度）が多い（高輝度）の場合には、単に電子シャッタの操作だけでは撮像素子の画素に蓄積した電荷の吐き出しが十分に行われず、撮影画像が全体的に白く霞んで画質が低下するという問題があった。
【０００６】
さらに、カメラが携帯電話機等に搭載された場合には、操作者が誤って携帯電話機を落下させあるいは他の物体と衝突させて、カメラが衝撃を受ける場合がある。したがって、このように外部から衝撃を受けても、カメラが所望の撮影動作を行うような対策を講じる必要がある。
【０００７】
本発明は、上記の事情に鑑みて成されたものであり、その目的とするところは、カメラで撮影する際の操作の煩わしさを解消でき、非撮影時はもちろん撮影待機の状態が長い場合においても太陽光等の強力な光線による撮像素子の焼損、破損あるいはカラーフィルタの退色等を防止でき、非撮影時にレンズ等を保護でき、又、被写体が高輝度の場合であっても撮影画像の画質の低下等を防止でき、さらには、落下、衝突等により外部から衝撃を受けても撮影動作が確実に行われるカメラを備えた携帯情報端末装置を提供することにある。
【０００８】
【課題を解決するための手段】
本発明の携帯情報端末装置は、撮影窓を有する本体と、本体の内部に配置され被写体を撮影するためのレンズ及び撮像素子を含むカメラと、を備えた携帯情報端末装置であって、上記撮像素子よりも被写体側に配置されて撮影窓に通じる光路を開閉する遮光羽根と、遮光羽根を駆動する電磁アクチュエータと、電磁アクチュエータを駆動制御する制御手段と、を含む、ことを特徴としている。
この構成によれば、例えば、電磁アクチュエータにより、非撮影モードでは撮影窓を閉じ、撮影モードでは撮影窓を開放するように、遮光羽根を駆動制御することで、開閉操作の煩わしさが解消され、又、遮光羽根を非撮影モードではバリヤとして又撮影モードでは機械的なシャッタとして用いることができる。これにより、非撮影時において強力な光線の進入を阻止でき、撮像素子の焼損等による破損あるいは撮像素子の前面にあるカラーフィルタの退色等を防止できる。
【０００９】
上記構成において、遮光羽根は、レンズよりも被写体側に配置されている、構成を採用できる。
この構成によれば、遮光羽根を、撮像素子を保護するバリヤあるいは機械的なシャッタとしてだけでなく、レンズを保護するバリヤとしても用いることができる。
【００１０】
上記構成において、遮光羽根は、非撮影モードにおいて、撮影窓に通じる光路を常時閉じる状態に保持されている、構成を採用できる。
この構成によれば、非撮影モード（撮影しない状態）で遮光羽根は自動的に閉じた状態に保持されるため、特に撮影モード（撮影待機状態）から非撮影モードに切り替えられたときに、従来の場合に懸念される閉じ操作の忘れを防止できる。すなわち、撮影しないときには、遮光羽根が撮影窓を常時閉じた状態に保持されるため、外部からの強い光あるいは埃等が入り込むのを防止でき、撮像素子あるいはレンズ等を保護することができる。
【００１１】
上記構成において、制御手段は、非撮影モードから撮影モードにされたとき、予め遮光羽根に閉じ動作を行わせた後に開き動作を行わせるべく、電磁アクチュエータに対して通電を行う、構成を採用できる。
この構成によれば、非撮影モードにあるとき、外部からの衝撃等により遮光羽根が開いてしまったような場合、撮影モードに移行した時点（撮影待機の状態）で一旦遮光羽根を閉じることで、それまでに撮像素子に蓄積された電荷を吐き出すことができ、その後、遮光羽根を開くことで撮影前の構図決めのモードに移行することができる。これにより、特に被写体が高輝度の場合に、撮影画像が白く霞むのを防止でき、高画質の画像を得ることができる。
【００１２】
上記構成において、制御手段は、撮影モードにおいてレリーズ動作がなされたとき、所定時間経過後に、遮光羽根に閉じ動作を行わせるべく、電磁アクチュエータに対して通電を行う、構成を採用できる。
この構成によれば、レリーズ動作から所定時間（適正な露光量に達するまでの時間）経過後に、遮光羽根は閉じ動作を行うように駆動制御される。すなわち、遮光羽根を、撮像素子の駆動制御により行われる電子シャッタに比べて遮蔽効果が大きい機械的なシャッタとして用いることで、露光時間（露出時間）を高精度に設定することができる。これにより、高画質の画像を得ることができる。
【００１３】
上記構成において、制御手段は、撮影モードにおいてレリーズ動作がなされたとき、撮像素子により被写体の撮影を開始する直前に、開いた状態から遮光羽根に一旦閉じ動作を行わせた後再び開き動作を行わせるべく、電磁アクチュエータに対して通電を行う、構成を採用できる。
この構成によれば、撮像素子により被写体を撮影する際に、開いた状態にある遮光羽根を一旦閉じることで、それ以前に撮像素子に蓄積された電荷の吐き出しを行うことができる。すなわち、撮影開始以前に蓄積された電荷の上から重ねて電荷の蓄積が行われると、フィルムでの二重露光と同じ現象を招き、画質が低下するが、このように予め電荷の吐き出しを行うことで、鮮明で高画質の画像を得ることができる。
【００１４】
上記構成において、制御手段は、撮影モードにおいて、所定時間に亘ってレリーズ動作が行われないとき、自動的に非撮影モードに切り替える、構成を採用できる。
この構成によれば、所定時間経過してもレリーズ動作が行われないとき、自動的に非撮影モードに切り替わり、遮光羽根は閉じ動作を行う。したがって、撮影窓が開放された状態のまま放置されるのを防止できる。これにより、強力な光線の進入等を阻止でき、撮像素子の焼損等による破損あるいは撮像素子の前面にあるカラーフィルタの退色等をより確実に防止できる。
【００１５】
【発明の実施の形態】
以下、本発明の実施の形態について、添付図面を参照しつつ説明する。
図１ないし図５は、本発明に係る携帯情報端末装置（ここでは、携帯電話機）の一実施形態を示すものであり、図１はその外観正面図、図２は遮光羽根及び電磁アクチュエータを示す正面図、図３は遮光羽根を含むカメラの断面図、図４はシステム全体の制御回路を示すブロック図、図５は制御シーケンスを示すフローチャートである。
【００１６】
この携帯電話機は、図１ないし図４に示すように、本体１０の表面に種々の操作を行う操作釦１１及び種々の情報を表示する表示部（液晶モニター）１２が配置され、本体１０の上端に信号の送受信を行うアンテナ１３が伸縮自在に設けられ、本体１０の表面で表示部１２の近傍には撮影窓１４が設けられている。
また、本体１０の内部には、撮影窓１４の背後にカメラ２０が配置され、他の内部領域には制御回路等を構成する種々の電子部品を実装した回路基板が配置されている。
【００１７】
カメラ２０は、図１ないし図３に示すように、本体１０の内壁に固定されており、レンズ２１（第１レンズ２１ａ，第２レンズ２１ｂ）、撮像素子としてのＣＣＤ（電荷結合素子）２２、撮影窓１４の背後でかつレンズ２１（第１レンズ２１ａ）よりも被写体側（すなわち、ＣＣＤ２２よりも被写体側）に配置された遮光羽根２３、遮光羽根２３を開閉駆動する電磁アクチュエータとしてのムービングマグネット型のモータ２４等を備えている。
【００１８】
遮光羽根２３は、図２に示すように、支軸２５が通される支持孔２３ａ、後述する駆動ピン２４ａ´が連結される長孔２３ｂを有し、支軸２５により回動自在に支持されて、撮影窓１４を閉鎖する閉じ位置（実線で示す位置）と開放する開き位置（二点鎖線で示す位置）との間を往復動して、撮影窓１４を開閉するようになっている。
このように、遮光羽根２３は、ＣＣＤ２２及びレンズ２１（第１レンズ２１ａ，第２レンズ２１ｂ）よりも被写体側に配置されているため、遮光羽根２３により撮影窓１４が閉じられることで、外部からの強い光線（例えば、太陽光）が入り込んで、ＣＣＤ２２を焼損、あるいはＣＣＤ２２の前面に設けられたカラーフィルタが退色するのを防止でき、又、レンズ２１にキズ、埃等が付着するのを防止できる。
【００１９】
モータ２４は、図２に示すように、回転中心から偏倚した駆動ピン２４ａ´を有し所定の角度範囲を回動するロータ２４ａ、励磁用のコイル２４ｂ、磁路を形成するヨーク２４ｃ等により形成されており、コイル２４ｂへの開き通電によりロータ２４ａが遮光羽根２３に開き動作を行わせ、コイル２４ｂへの閉じ通電によりロータ２４ａが遮光羽根２３に閉じ動作を行わせるようになっている。
また、非通電の状態においては、ロータ２４ａは回動範囲の両端位置にそれぞれ磁気的吸引力により保持されて、遮光羽根２３を開き状態あるいは閉じ状態に保持するようになっている。
【００２０】
制御回路は、図４に示すように、種々の制御信号を発し全体の制御を司る制御手段としてのＣＰＵ等からなる制御部３１、ＣＣＤ２２に対する電力供給のオン／オフ等を行うＣＣＤ駆動回路３２、ＣＣＤ２２により撮影された画像信号を処理する画像信号処理回路３３、撮像された画像を表示部１２に表示するための処理を行う画像表示回路３４、モータ２４への通電を制御するモータ駆動回路３５、撮影された画像情報等を記憶する記憶部３６、カメラ２０を起動させるメインスイッチ３７、撮影の際にカメラ２０のレリーズ動作を行うレリーズスイッチ３８、その他アンテナ１３を介しての信号の送信及び受信処理を行う送受信処理回路（不図示）等により形成されている。尚、メインスイッチ３７及びレリーズスイッチ３８は、本体１０の表面に配置された操作釦１１の一部として組み込まれている。
【００２１】
制御部３１は、種々の検出信号、操作による指令信号等に基づいて演算処理、判定処理等を行って、種々の制御信号を発信するものである。
例えば、制御部３１は、ＣＣＤ２２及び画像信号処理回路３３を通して得られた画像情報に基づいて、被写体からの反射光の光量レベルを判定し撮影に最適な露光時間を算出する。
また、制御部３１は、操作者のレリーズ動作によりレリーズスイッチ３８がオンとされると、モータ２４に対して所定の通電を行うようにモータ駆動回路３５に制御信号を発し、又、ＣＣＤ２２による静止画撮影（電子シャッタのオン／オフ等）のための制御信号をＣＣＤ駆動回路３２に発する。
【００２２】
さらに、制御部３１は、操作者によるメインスイッチ３７のオン／オフ操作により、カメラ２０を撮影モード／非撮影モードにするべく、遮光羽根２３に開閉動作を行わせるための制御信号をモータ駆動回路３５に発し、又、ＣＣＤ２２による動画撮影のための制御信号をＣＣＤ駆動回路３２に発し、さらに、表示部１２に撮影画像を表示させるための制御信号を画像表示回路３４に発する。
【００２３】
メインスイッチ３７は、オン操作により非撮影モード（撮影を行わない状態）から撮影モード（撮影待機状態）に切り替えてカメラ２０を起動させ、動画の撮影を行えると同時に静止画を撮影可能な待機状態とする場合、又、オフ操作により撮影モードから非撮影モードに切り替えて動画の撮影及び静止画の撮影を行えない非撮影状態とする場合に、制御部３１及びＣＣＤ駆動回路３２を介して、ＣＣＤ２２に対する電力供給のオン／オフ等を行う際のトリガをなすものである。
【００２４】
また、メインスイッチ３７は、非撮影モードから撮影モードへの切り替えにより、遮光羽根２３に一旦閉じ動作を行わせてから開き動作を行わせるべく、あるいは、撮影モードから非撮影モードへの切り替えにより、遮光羽根２３に閉じ動作を行わせるべく、制御部３１及びモータ駆動回路３５を介して、モータ２４に対する通電制御を行う際のトリガをなすものである。
このように、非撮影モードに切り替えられたときに、遮光羽根２３を閉じることで、カメラ２０を使用しない非撮影の状態においては、必ず撮影窓１４が閉鎖されるため、外部から強い光線あるいは埃等が進入するのを防止できる。これにより、ＣＣＤ２２が焼損等を招くのを防止でき、又、レンズ２１にキズあるいは埃等が付着するのを防止できる。
【００２５】
レリーズスイッチ３８は、メインスイッチ３７がオンとされた撮影モード（静止画の撮影待機状態）において、被写体の静止画を撮影する際のトリガをなすものである。すなわち、レリーズスイッチ３８が、例えば操作釦１１の一つのプッシュ操作（レリーズ動作）によりオンとされると、遮光羽根２３が一旦閉じ動作を行った後に開き動作を行うように、又、所定時間（露出時間）経過後に遮光羽根２３が閉じ動作を行うように、制御部３１は、モータ駆動回路３５に制御信号を発する。
【００２６】
また、レリーズスイッチ３８がオンとされると、遮光羽根２３の閉じ動作に続いてＣＣＤ２２が一旦オフとされ再びオンとされて（すなわち、それまで蓄積した電荷を吐き出して初期化された後）電荷の蓄積を開始して静止画を撮影（電子シャッタのオン（開き）／オフ（閉じ）等を）するように、制御部３１は、ＣＣＤ駆動回路３２に制御信号を発する。
【００２７】
上記のように、遮光羽根２３に一旦閉じ動作を行わせることで、非撮影モードであるにも拘わらず衝撃等を受けて開いた状態にあった場合に確実に遮光羽根２３を初期位置（閉じ位置）に位置付けることができ、この初期位置を基準とした所定の駆動制御を行うことができる。また、撮影前に、遮光羽根２３を一旦閉じることで、ＣＣＤ２２に蓄積された電荷の吐き出しが確実に行われ、特に被写体が高輝度の場合に白く霞む現象を防止でき、高画質の画像を得ることができる。
【００２８】
次に、上記携帯電話機におけるカメラ２０での撮影動作について、図５のフローチャートに基づき説明する。
先ず、メインスイッチ３７がオフのとき、カメラ２０は起動しておらず、非撮影モードの状態にある（ステップＳ１）。このとき、遮光羽根２３は撮影窓１４を閉じた状態に保持されている。したがって、外部からの光線等の進入が阻止され、ＣＣＤ２２、レンズ２１等が保護される。
【００２９】
ここで、メインスイッチ３７がオンとされると（ステップＳ２）、カメラ２０は起動して撮影モードに移行する。そして、閉じ位置あるいは開き位置のいずれの位置にあるかに拘わらず、遮光羽根２３が閉じ動作を行うように駆動される。したがって、遮光羽根２３は、閉じ状態にあればそのまま保持され、開き状態にあれば閉じ動作を行って撮影窓１４を閉鎖する（ステップＳ３）。続けて、ＣＣＤ２２がオフとされてすでに蓄積した電荷を吐き出すように制御される（ステップＳ４）。
【００３０】
続いて、遮光羽根２３が開き動作を行う（ステップＳ５）ことで、ＣＣＤ２２により動画の撮影が可能となる。ここで、表示部１２を眺めながら、静止画として撮影したい構図を設定する（ステップＳ６）。
そして、構図設定が完了し、操作者がレリーズ動作を行ってレリーズスイッチ３８がオンとされると（ステップＳ７）、先ず、ＣＣＤ２２の画像情報に基づいて被写体の光量レベル（明るさ）が測定され、撮影に最適な露光時間（シャッタ秒時）が決定される（ステップＳ８）。
【００３１】
次に、遮光羽根２３が閉じ動作を行い（ステップＳ９）、続けて、ＣＣＤ２２がオフ（電子シャッタが閉じ）とされて（ステップＳ１０）、それまで蓄積された電荷が吐き出される（ステップＳ１１）。ここで、遮蔽効果の大きい遮光羽根２３を閉じることにより、被写体が特に高輝度の場合でも、撮影の前に蓄積された不要な電荷を確実に吐き出すことができるため、フィルムの場合の二重露光に相当するような撮影画像が白く霞む現象を防止できる。
【００３２】
続いて、遮光羽根２３が開き動作を行って（ステップＳ１２）、ＣＣＤ２２が電荷の蓄積（電子シャッタが開き）を開始して、予め決定された露光時間に亘り露光状態が持続される（ステップＳ１３）。そして、適正な露光時間が経過したと判断されると（ステップＳ１４）、遮光羽根２３が閉じ動作を行う（ステップＳ１５）。これにより、露光時間の終わりが高精度に規定されるため、単に電子シャッタによる場合に比べて高画質の画像を得ることができる。続けて、ＣＣＤ２２により撮影された画像データは、記憶部３６に記憶されるべく転送される（ステップＳ１６）。そして、データの転送が終了したか否かの判断がなされる（ステップＳ１７）。
【００３３】
データの転送が終了した場合には、メインスイッチ３７がオフとされたか否かの判断がなされる（ステップＳ１８）。ここで、メインスイッチ３７がオフとされると、カメラ２０は非撮影モードに移行し（ステップＳ１９）、遮光羽根２３は閉じ動作を行って撮影窓１４を閉鎖する。一方、メインスイッチ３７がオンのままである場合は、ステップＳ５に戻って前述同様のシーケンスを繰り返す。
【００３４】
このように、遮光羽根２３が、撮影窓１４を遮蔽するバリヤとして又撮影の際の機械的なシャッタとして自動的に駆動されることで、カメラ２０で撮影する際の操作の煩わしさを解消でき、非撮影時において、太陽光等の強力な光線が進入するのを阻止してＣＣＤ２２の焼損、破損等、カラーフィルタの退色等を防止でき、又、レンズ２１へのキズあるいは埃の付着を防止でき、さらに、被写体が高輝度の場合であっても高画質の画像を得ることができる。
【００３５】
図６は、本発明に係る携帯情報端末装置に搭載されるカメラ２０の他の制御シーケンスを示すフローチャートである。この実施形態において、前述の実施形態と同一の制御シーケンスについては同一の符号（Ｓ１，Ｓ２…）を付してその説明を省略する。
【００３６】
すなわち、この実施形態における制御シーケンスにおいては、図６に示すように、遮光羽根２３の開き動作（ステップＳ５）の後、表示部１２を眺めながら、静止画として撮影したい構図の設定が可能となった段階（ステップＳ６）で、レリーズ動作が行われたか否かの判断がなされ（ステップＳ７）、レリーズ動作が行われていないと判断された場合に、続けて、その撮影待機の状態が所定時間経過したか否かが判断される（ステップＳ７´）。
【００３７】
ここで、所定時間経過していないと判断された場合は、ステップＳ６に戻って、構図の設定が可能な状態が維持される。一方、所定時間経過したと判断された場合は、ステップＳ１９に移行して、制御部３１は、メインスイッチ３７がオフされたものとしてカメラ２０を非撮影モードに移行させる。そして、遮光羽根２３は閉じ動作を行って撮影窓１４を閉鎖する。
【００３８】
このように、撮影待機の状態が長く続く場合に、自動的に遮光羽根２３を閉じて非撮影モードにするため、操作者がメインスイッチ３７のオフ操作を忘れて、撮影窓１４が開放された状態のまま放置されるのを防止できる。これにより、強力な光線の進入等を阻止でき、ＣＣＤ２２の焼損等による破損あるいはＣＣＤ２２の前面にあるカラーフィルタの退色等を、より確実に防止できる。
【００３９】
上記実施形態においては、カメラ２０を構成するレンズ２１として、第１レンズ２１ａ及び第２レンズ２１ｂからなる２枚構成を示したが、これに限定されるものではなく、１枚構成であっても３枚以上の構成であってもよい。
また、上記実施形態においては、遮光羽根２３を、レンズ２１よりも被写体側に配置した構成を示したが、これに限定されるものではなく、ＣＣＤ２２よりも被写体側であればレンズ２１の後方に配置してもよい。この場合、撮影窓１４には光の通過を許容する透明板を設けるのが好ましい。
【００４０】
上記実施形態においては、カメラ２０のレンズ光学系として、単焦点の場合を示したが、これに限定されるものではなく、望遠〜広角の撮影が可能な変倍レンズ光学系を備えたカメラにおいて本発明に係る遮光羽根２３を採用してもよい。また、上記実施形態においては、遮光羽根として、所定の角度範囲を揺動するものを示したが、これに限定されるものではなく、撮影窓１４を開閉し得るものであれば、その開閉動作は直線的に往復動するものでも、リボルバー状に形成された円板状のものが回転するものであってもよい。
【００４１】
上記実施形態においては、電磁アクチュエータとして、ロータを備えたムービングマグネット型のモータ２４を示したが、これに限定されるものではなく、ステッピングモータ等を含め、その他の電磁アクチュエータであってもよい。
さらに、上記実施形態においては、カメラ２０を搭載する携帯情報端末装置として、携帯電話機を示したが、携帯型パーソナルコンピュータ等その他のものであってもよい。
【００４２】
【発明の効果】
以上述べたように、本発明の携帯情報端末装置によれば、撮像素子よりも被写体側に配置されて撮影窓に通じる光路を開閉する遮光羽根、遮光羽根を駆動する電磁アクチュエータ、電磁アクチュエータを駆動制御する制御手段を設けたことにより、撮影窓を手動により開閉する操作の煩わしさが解消され、又、遮光羽根を非撮影モードではバリヤとして又撮影モードでは機械的なシャッタとして用いることができる。これにより、非撮影時において強力な光線の進入を阻止でき、撮像素子の焼損等による破損あるいは撮像素子の前面にあるカラーフィルタの退色等を防止でき、撮影する際には、画像が白く霞む現象を防止でき、高画質の画像を得ることができる。
また、遮光羽根をレンズよりも被写体側に配置することで、遮光羽根をレンズを保護するバリヤとしても用いることができる。
【図面の簡単な説明】
【図１】本発明に係る携帯情報端末装置（携帯電話機）の外観を示す平面図である。
【図２】遮光羽根及び電磁アクチュエータを示す正面図である。
【図３】本体に内蔵したカメラ、遮光羽根、電磁アクチュエータ等を示す断面図である。
【図４】カメラの制御回路を含むシステム全体のブロック図である。
【図５】カメラにより撮影する際の制御シーケンスを示すフローチャートである。
【図６】カメラにより撮影する際の他の制御シーケンスを示すフローチャートである。
【符号の説明】
１０  本体
１１  操作釦
１２  表示部
１３  アンテナ
１４  撮影窓
２０  カメラ
２１（２１ａ，２１ｂ）  レンズ
２２  ＣＣＤ（撮像素子）
２３  遮光羽根
２４  モータ（電磁アクチュエータ）
２５  支軸
３１  制御部（制御手段）
３２  ＣＣＤ駆動回路
３３  画像信号処理回路
３４  画像表示回路
３５  モータ駆動回路
３６  記憶部
３７  メインスイッチ
３８  レリーズスイッチ
【図１】
2004184817.tif 000003
【図２】
2004184817.tif 000004
【図３】
2004184817.tif 000005
【図４】
2004184817.tif 000006
【図５】
2004184817.tif 000007
【図６】
2004184817.tif 000008